(57)【要約】【課題】操作者が用紙を載置するだけで、一度に複数枚の用紙を押し込んでも、重送や紙詰まりを防ぐことができる分離給紙装置およびこれを備えた画像形成装置を提供する。【解決手段】給紙ローラ７と、給紙ローラ７よりも４搬送方向下流側に位置し、搬送された用紙を搬送方向へ送る分離ローラ４と、分離ローラ４を回転駆動させる駆動ギア９と、駆動ギア９と一体成形された太陽ギア９aと、太陽ギア９aの軸に挿通する挿通孔を有するカム部１０ｂと、カム部１０ｂの内周面に形成される内歯ギア１０ｃと、駆動ギア９とカム部１０ｂとの間に配置されると共に挿通孔１７の外周部に係合し、内歯ギア１０ｃの回転に連動回動に応じて原稿台側へ降下または原稿側から離れる方向へ昇降するレバー１１と、レバー１１に設けられレバー１１の降下又は昇降に同期して原稿台２１へ当接または離間するストッパ部材１４を備えた構成とする。【選択図】図４
2006282346.tif 000002
【特許請求の範囲】
【請求項１】
原稿台に積層された用紙を給紙する給紙ローラと、前記給紙ローラよりも搬送方向下流側に位置し、搬送された用紙を搬送方向へ送る分離ローラと、前記分離ローラを回転駆動させる駆動ギアと、前記駆動ギアと一体成形された太陽ギアと、前記太陽ギアの軸に挿通する挿通孔を有するカム部と、前記カム部の内周面に形成される内歯ギアと、前記駆動ギアと前記カム部との間に配置されるとともに前記挿通孔の外周部に係合し、前記内歯ギアの回転に連動回動し原稿台側へ降下または原稿側から離れる方向へ昇降するレバーと、前記レバーに設けられ前記レバーの降下または昇降に同期して前記原稿台へ当接または離間するストッパ部材を備えることを特徴とする分離給紙装置。
【請求項２】
前記ストッパ部材は、矩形形状であることを特徴とする請求項１記載の分離給紙装置。
【請求項３】
前記ストッパは、前記レバーの分離ローラ側側面に対して直角となるように設けられていることを特徴とする請求項１または２記載の分離給紙装置。
【請求項４】
前記カムは、当該カム部の内部に複数のカム溝を有することを特徴とする請求項１記載の分離給紙装置。
【請求項５】
前記レバーは、前記カム溝内を摺動する摺動部を有することを特徴とする請求項１又は４記載の分離給紙装置。
【請求項６】
前記レバーは、前記挿通孔の外周部に係合する楕円状の開口部を有することを特徴とする請求項１、３または５記載の分離給紙装置。
【請求項７】
原稿台に積層された用紙を給紙する給紙ローラと、前記給紙ローラよりも搬送方向下流側に位置し、搬送された用紙を搬送方向へ送る分離ローラと、前記分離ローラを回転駆動させる駆動ギアと、前記駆動ギアと一体成形された太陽ギアと、前記太陽ギアの軸に挿通する挿通孔を有するカム部と、前記カム部の内周面に形成される内歯ギアと、前記駆動ギアと前記カム部との間に配置されるとともに前記挿通孔の外周部に係合し、前記内歯ギアの回転に連動回動し原稿台側へ降下または昇降するレバーと、前記レバーに設けられ前記レバーの降下または昇降に同期して前記原稿台へ当接または離間するストッパ部材を備え、前記カムは更に当該内部にカム溝を有し、また、前記レバーは前記カム溝内を摺動する摺動部有し、前記摺動部が前記カム溝内を摺動することで、前記レバーを当接または離間させることを特徴とする分離給紙装置。
【請求項８】
原稿台に積層された用紙を給紙する給紙ローラと、前記給紙ローラよりも搬送方向下流側に位置し、搬送された用紙を搬送方向へ送る分離ローラと、前記分離ローラを回転駆動させる駆動ギアと、前記駆動ギアと一体成形された太陽ギアと、前記太陽ギアの軸に挿通する挿通孔を有するカム部と、前記カム部の内周面に形成される内歯ギアと、前記駆動ギアと前記カム部との間に配置されるとともに前記挿通孔の外周部に係合し、前記内歯ギアの回転に連動回動し原稿台側へ降下または昇降するレバーと、前記レバーに設けられ前記レバーの降下または昇降に同期して前記原稿台へ当接または離間するストッパ部材を備え、前記カムは更に当該カム内部にカム溝を有し、また、前記レバーは前記カム溝内を摺動する摺動部を有し、さらに、前記レバーは前記カム溝内における前記摺動部の摺動に応じてスライドするスライダと、前記スライダを付勢する弾性部材と前記スライダを案内するスライダ開口部とを有し、前記弾性部材の付勢力によって前記摺動部が前記カム溝内を摺動することで前記レバーを当接または離間させることを特徴とする分離給紙装置。
【請求項９】
前記カム溝は、前記内歯ギアの回転運動を前記レバーの当接または離間動作に変えることを特徴とする請求項７または８記載の分離給紙装置。
【請求項１０】
装置の上部を覆うカバーと、原稿台に重ねて載置される複数枚の用紙から１枚の用紙を分離して搬送する分離ローラと、駆動モータにより駆動される駆動ギヤにより駆動され、前記分離ローラと同軸に設けられた太陽ギヤ、前記太陽ギヤと同軸に設けられた内歯ギヤ、および、前記分離ローラに設けられた軸により支持されるとともに前記太陽ギヤと前記内歯ギヤとの間に噛み合った状態で配置され、前記太陽ギヤの外周を公転することにより前記分離ローラを回転させる遊星ギヤにより形成される遊星歯車機構と、前記内歯ギヤの回転に連動して回動し、前記カバーに突き当たると前記内歯ギヤの回転を停止させるレバーとを備え、前記レバーは、前記内歯ギヤの回転により回動されて前記原稿台に突き当たり、前記複数枚の用紙が前記原稿台に載置される際の前記分離ローラへの用紙の侵入を防ぐストッパ部材を備えたことを特徴とする分離給紙装置。
【請求項１１】
前記内歯ギヤは、カム溝が形成されたカム部を有し、前記レバーは、前記カム溝を摺動する摺動体を有し、前記カム溝は、前記ストッパ部材が前記原稿台に突き当たった際に前記内歯ギヤが回転を停止しないように、前記摺動体をガイドして前記レバーを運動させる形状としたことを特徴とする請求項１０記載の分離給紙装置。
【請求項１２】
前記分離ローラの前記原稿台側に、前記分離ローラの回転に同期して回転する給紙ローラが連結され、前記カバーは、前記駆動ギヤおよび前記給紙ローラの回転軸に支持されたものであることを特徴とする請求項１０記載の分離給紙装置。
【請求項１３】
感光体ドラムと、その感光体ドラムを帯電させる帯電手段と、帯電された感光体ドラム上に、露光光線を照射して静電潜像を形成する露光手段と、感光体ドラム上に形成された静電潜像をトナーにより顕像化する現像ローラとを備える画像形成装置であって、
原稿台に積層された用紙を繰り出す給紙ローラと、前記給紙ローラよりも搬送路下流側に位置し、用紙を搬送方向へ送る分離ローラと、前記分離ローラを回転駆動させる駆動ギアと、前記駆動ギアと一体成形された太陽ギアと、前記太陽ギアに挿通される軸部を有するカム部と、前記カム部の内周面に形成される内歯ギアと、前記駆動ギアから伝達された駆動力による内歯ギアの回転に連動回動するレバーと、前記レバーの連動に応じて前記原稿台に当接することで、前記用紙が前記原稿台に載置される際に、前記分離ローラへの用紙の侵入を防ぐストッパ部材を備えることを特徴とする画像形成装置。
【請求項１４】
原稿台に積層された原稿を繰り出す給紙ローラと、前記給紙ローラよりも搬送路下流側に位置し、原稿を搬送方向へ送る分離ローラと、前記分離ローラにより搬送された原稿を読み取る画像読取部と、分離ローラを回転駆動させる駆動ギアと、前記駆動ギアと一体成形された太陽ギアと、前記太陽ギアに挿通される軸部を有するカム部と、前記カム部の内周面に形成される内歯ギアと、前記駆動ギアから伝達された駆動力による内歯ギアの回転に連動回動するレバーと、前記レバーの連動に応じて前記用紙が前記原稿台に載置される際の前記分離ローラへの原稿の侵入を防ぐストッパ部材を備えることを特徴とする画像読取装置。
【発明の詳細な説明】
【技術分野】
【０００１】
本発明は、原稿や記録紙等の複数枚の用紙を一枚ずつ分離して搬送することができる分離給紙装置、およびそれを備える画像形成装置及び画像読取装置に関する。
【背景技術】
【０００２】
ファクシミリ、プリンタ、複写機等には、複数枚の原稿や記録紙等を１枚づつに分離し搬送する分離給紙装置が用いられている。特許文献１には、図１２及び図１３に示すように用紙載置部のカバー３５を矢印Ｃ方向へ開けることによって、用紙搬送面に形成されたストッパレバー部３３を出没させ、カバー３５を閉めることによってストッパレバー部３３を没入させることが可能な分離給紙装置が記載されている。
【０００３】
ここで、図１２（ａ）は従来の分離給紙装置のカバーが開いた状態を示す斜視図、図１２（ｂ）は図１２（ａ）の分離給紙装置のカバーが開いた状態を示すＡ−Ａ線断面図、図１３（ａ）従来の分離給紙装置のカバーが閉じた状態を示す斜視図、図１３（ｂ）は図１３（ａ）の分離給紙装置のカバーが閉じた状態のＢ−Ｂ線断面図である。
【０００４】
図１２および図１３は（特許文献１）に記載の分離給紙装置を示している。図１２および図１３に示すように、この分離給紙装置３０では、カバー３５を開けてストッパレバー部３３を出没させることによって、用紙を搬送する分離ローラ３６に向かって用紙が強く押し込まれた場合であっても、用紙Ｘの先端がストッパレバー部３３に引っ掛かるので、用紙が分離ローラ３６と分離パッド３１の間に挿入されることを防ぐことができる。
【特許文献１】特開２００４−８３２０２号公報
【発明の開示】
【発明が解決しようとする課題】
【０００５】
しかしながら、（特許文献１）の分離給紙装置３０では、画像形成装置の操作者が誤って、カバー３５を開けずに用紙を強く押し込んでしまうと、ストッパレバー部３３が出没していない状態のまま用紙が差し込まれてしまうので、用紙が分離ローラ３６と分離パッド３１の間に挿入されて、分離給紙装置３０内で重送や紙詰まりが発生してしまうという問題があった。
【０００６】
本発明は、上記従来の問題を解決するもので、分離ローラへ用紙等の進入を防ぐストッパを配置することにより、操作者が用紙を載置する以外に何ら操作を行うことなく、一度に複数枚の用紙を押し込んでも、重送や紙詰まりを防ぐことができる分離給紙装置及びそれを備える画像形成装置及び画像読取装置を提供することを目的とする。
【課題を解決するための手段】
【０００７】
本発明は上記課題を解決するために、原稿台に積層された用紙を給紙する給紙ローラと、給紙ローラよりも搬送方向下流側に位置し、搬送された用紙を搬送方向へ送る分離ローラと、分離ローラを回転駆動させる駆動ギアと、駆動ギアと一体成形された太陽ギアと、太陽ギアの軸に挿通する挿通孔を有するカム部と、カム部の内周面に形成される内歯ギアと、駆動ギアとカム部との間に配置されるとともに挿通孔の外周部に係合し、内歯ギアの回転に連動回動に応じて原稿台側へ降下または原稿側から離れる方向へ昇降するレバーと、レバーに設けられ前記レバーの降下または昇降に同期して原稿台へ当接または離間するストッパ部材を備える分離給紙装置であって、これにより、用紙の搬送方向を塞いで複数枚の用紙が載置される際の分離ローラへの用紙の侵入を防ぐので、載置された複数枚の用紙が分離ローラの中に侵入して挟まり込むことによる用紙の重送や紙詰まりを防ぐことができる。また、ストッパ部材は内歯ギヤの回転に連動して回動するので、用紙の重送や紙詰まりを防ぐために、操作者が何ら操作を行う必要はない。
【発明の効果】
【０００８】
以上のように、本発明によれば、原稿台に積層された用紙を給紙する給紙ローラと、前記給紙ローラよりも搬送方向下流側に位置し、搬送された用紙を搬送方向へ送る分離ローラと、前記分離ローラを回転駆動させる駆動ギアと、前記駆動ギアと一体成形された太陽ギアと、前記太陽ギアの軸に挿通する挿通孔を有するカム部と、前記カム部の内周面に形成される内歯ギアと、前記駆動ギアと前記カム部との間に配置されるとともに前記挿通孔の外周部に係合し、前記内歯ギアの回転に連動回動に応じて原稿台側へ降下または原稿側から離れる方向へ昇降するレバーと、前記レバーに設けられ前記レバーの降下または昇降に同期して前記原稿台へ当接または離間するストッパ部材を備えることを特徴とする分離給紙装置であって、内歯ギヤの回転に連動して回動するレバーにストッパ部材を設けたことにより、使用者がなんら操作を行う事無く、用紙の搬送方向を塞いで用紙が載置される際の分離ローラへの用紙の侵入を防ぐので、用紙の重送や紙詰まりを防ぐことができるという効果が得られる。
【発明を実施するための最良の形態】
【０００９】
本発明の請求項１に記載の発明は、原稿台に積層された用紙を給紙する給紙ローラと、前記給紙ローラよりも搬送方向下流側に位置し、搬送された用紙を搬送方向へ送る分離ローラと、前記分離ローラを回転駆動させる駆動ギアと、前記駆動ギアと一体成形された太陽ギアと、前記太陽ギアの軸に挿通する挿通孔を有するカム部と、前記カム部の内周面に形成される内歯ギアと、前記駆動ギアと前記カム部との間に配置されるとともに前記挿通孔の外周部に係合し、前記内歯ギアの回転に連動回動に応じて原稿台側へ降下または原稿側から離れる方向へ昇降するレバーと、前記レバーに設けられ前記レバーの降下または昇降に同期して前記原稿台へ当接または離間するストッパ部材を備える分離給紙装置であって、使用者がなんら操作を行う事無く、用紙の搬送方向を塞いで用紙が載置される際の分離ローラへの用紙の侵入を防ぐので、用紙の重送や紙詰まりを防ぐことができるという効果を有する。
【００１０】
本発明の請求項２に記載の発明は、請求項１記載の発明において、ストッパ部材は、矩形形状であるので、操作者が複数枚の用紙を強く押し込んで載置したとしても、原稿台に突き合たった状態のストッパ部材により分離ローラへの用紙の侵入を防ぐことができるという効果を有する。
【００１１】
本発明の請求項３に記載の発明は、請求項１または２記載の発明において、ストッパは、レバーの分離ローラ側側面に対して直角となるように設けられているので、ストッパ部材が適切に原稿台に突き当たるので、操作者が複数枚の用紙を強く押し込んで載置したとしても、原稿台に突き合たった状態のストッパ部材により分離ローラへの用紙の侵入を防ぐことができるという効果を有する。
【００１２】
本発明の請求項４に記載の発明は、請求項１記載の発明において、カムは、当該カム部の内部に複数のカム溝を有するので、ストッパ部材が原稿積載台に突き当たった際に内歯ギヤが回転を停止しないように、摺動体を案内してレバーを運動させる形状としたので、ストッパ部材が原稿台に突き当たっても、摺動体がカム溝によってガイドされてレバーが運動するので、この間は内歯ギヤの回転が停止することはない。従って、遊星ギヤは太陽ギヤの周囲を公転しないので、ストッパ部材が原稿台に突き当たっても、分離ローラがすぐに逆転をし始めることを防ぐことができるという効果を有する。
【００１３】
本発明の請求項５に記載の発明は、請求項１または４記載の発明において、レバーは、カム溝内を摺動する摺動部を有するので、ストッパ部材が原稿台に突き当たっても、摺動体がカム溝によってガイドされてレバーが運動するので、この間は内歯ギヤの回転が停止することはない。従って、遊星ギヤは太陽ギヤの周囲を公転しないので、ストッパ部材が原稿台に突き当たっても、分離ローラがすぐに逆転をし始めることを防ぐことができるという効果を有する。
【００１４】
本発明の請求項６に記載の発明は、請求項１、３、５記載の発明において、レバーは、挿通孔の外周部に係合する楕円状の開口部を有するので。
【００１５】
本発明の請求項７に記載の発明は、原稿台に積層された用紙を給紙する給紙ローラと、給紙ローラよりも搬送方向下流側に位置し、搬送された用紙を搬送方向へ送る分離ローラと、分離ローラを回転駆動させる駆動ギアと、駆動ギアと一体成形された太陽ギアと、太陽ギアの軸に挿通する挿通孔を有するカム部と、カム部の内周面に形成される内歯ギアと、駆動ギアとカム部との間に配置されるとともに挿通孔の外周部に係合し、内歯ギアの回転に連動回動し原稿台側へ降下または昇降するレバーと、レバーに設けられ前記レバーの降下または昇降に同期して前記原稿台へ当接または離間するストッパ部材を備え、カムは更に当該内部にカム溝を有し、また、レバーは前記カム溝内を摺動する摺動部有し、摺動部がカム溝内を摺動することで、レバーを当接または離間させる分離給紙装置であって、内歯ギヤの回転に連動して回動するレバーにストッパ部材を設けたことにより、使用者がなんら操作を行う事無く、用紙の搬送方向を塞いで用紙が載置される際の分離ローラへの用紙の侵入を防ぐので、用紙の重送や紙詰まりを防ぐことができるという効果を有する。
【００１６】
本発明の請求項８に記載の発明は、原稿台に積層された用紙を給紙する給紙ローラと、給紙ローラよりも搬送方向下流側に位置し、搬送された用紙を搬送方向へ送る分離ローラと、分離ローラを回転駆動させる駆動ギアと、駆動ギアと一体成形された太陽ギアと、太陽ギアの軸に挿通する挿通孔を有するカム部と、カム部の内周面に形成される内歯ギアと、駆動ギアと前記カム部との間に配置されるとともに挿通孔の外周部に係合し、内歯ギアの回転に連動回動し原稿台側へ降下または昇降するレバーと、レバーに設けられレバーの降下または昇降に同期して原稿台へ当接または離間するストッパ部材を備え、カムは更に当該カム内部にカム溝を有し、また、レバーはカム溝内を摺動する摺動部を有し、さらに、レバーはカム溝内における摺動部の摺動に応じてスライドするスライダと、スライダを付勢する弾性部材と前記スライダを案内するスライダ開口部とを有し、弾性部材の付勢力によって摺動部が前記カム溝内を摺動することでレバーを当接または離間させる分離給紙装置であって、レバーを原稿台側に回動させることにより、このストッパ部材が原稿台に突き当たるので、操作者が複数枚の用紙を強く押し込んで載置したとしても、原稿台に突き合たった状態のストッパ部材により分離ローラへの用紙の侵入を防ぐことができるという効果を有する。
【００１７】
本発明の請求項９に記載の発明は、請求項７または８記載の発明において、カム溝は、内歯ギアの回転運動をレバーの当接または離間動作に変えるので、給紙の際に原稿台に載置された複数枚の用紙のうち最も上に載置された１枚の用紙を押さえながら分離ローラ側へと搬送することができるとともにカバーが、駆動ギヤおよび給紙ローラの回転軸に支持されたものであるので、この給紙ローラは、駆動ギヤの回転により生じる摩擦により、駆動ギヤが正転すると原稿台側へ回動して原稿台に載置された用紙を押さえることができ、駆動ギヤが逆転すると、原稿台側とは逆側へと回動して原稿台へ用紙を載置できるようにすることができるという効果を有する。
【００１８】
本発明の請求項１０に記載の発明は、装置の上部を覆うカバーと、原稿台に重ねて載置される複数枚の用紙から１枚の用紙を分離して搬送する分離ローラと、駆動モータにより駆動される駆動ギヤにより駆動され、分離ローラと同軸に設けられた太陽ギヤ、太陽ギヤと同軸に設けられた内歯ギヤ、および、分離ローラに設けられた軸により支持されるとともに太陽ギヤと前記内歯ギヤとの間に噛み合った状態で配置され、太陽ギヤの外周を公転することにより前記分離ローラを回転させる遊星ギヤにより形成される遊星歯車機構と、内歯ギヤの回転に連動して回動し、カバーに突き当たると内歯ギヤの回転を停止させるレバーとを備え、レバーは、内歯ギヤの回転により回動されて原稿台に突き当たり、複数枚の用紙が原稿台に載置される際の分離ローラへの用紙の侵入を防ぐストッパ部材を備えた分離給紙装置であって、使用者がなんら操作を行う事無く、用紙の搬送方向を塞いで用紙が載置される際の分離ローラへの用紙の侵入を防ぐので、用紙の重送や紙詰まりを防ぐことができるという効果を有する。
【００１９】
本発明の請求項１１に記載の発明は、請求項１０記載の発明において、内歯ギヤは、カム溝が形成されたカム部を有し、レバーは、カム溝を摺動する摺動体を有し、カム溝は、ストッパ部材が原稿台に突き当たった際に内歯ギヤが回転を停止しないように、摺動体をガイドしてレバーを運動させる形状としたので、ストッパ部材が原稿台に突き当たっても、摺動体がカム溝によってガイドされてレバーが運動するので、この間は内歯ギヤの回転が停止することはない。従って、遊星ギヤは太陽ギヤの周囲を公転しないので、ストッパ部材が原稿台に突き当たっても、分離ローラがすぐに逆転をし始めることを防ぐことができるという効果を有する。
【００２０】
本発明の請求項１２に記載の発明は、請求項１０記載の発明において、分離ローラの原稿台側に、分離ローラの回転に同期して回転する給紙ローラが連結され、カバーは、駆動ギヤおよび給紙ローラの回転軸に支持されたものであるので、ストッパ部材が原稿台に突き当たっても、摺動体がカム溝によってガイドされてレバーが運動するので、この間は内歯ギヤの回転が停止することはない。従って、遊星ギヤは太陽ギヤの周囲を公転しないので、ストッパ部材が原稿台に突き当たっても、分離ローラがすぐに逆転をし始めることを防ぐことができるという効果を有する。
【００２１】
本発明の請求項１３に記載の発明は、感光体ドラムと、その感光体ドラムを帯電させる帯電手段と、帯電された感光体ドラム上に、露光光線を照射して静電潜像を形成する露光手段と、感光体ドラム上に形成された静電潜像をトナーにより顕像化する現像ローラとを備える画像形成装置であって、原稿台に積層された用紙を繰り出す給紙ローラと、給紙ローラよりも搬送路下流側に位置し、用紙を搬送方向へ送る分離ローラと、分離ローラを回転駆動させる駆動ギアと、駆動ギアと一体成形された太陽ギアと、太陽ギアに挿通される軸部を有するカム部と、カム部の内周面に形成される内歯ギアと、駆動ギアから伝達された駆動力による内歯ギアの回転に連動回動するレバーと、レバーの連動に応じて前記原稿台に当接することで、用紙が前記原稿台に載置される際に、分離ローラへの用紙の侵入を防ぐストッパ部材を備える画像形成装置であって、使用者がなんら操作を行う事無く、用紙の搬送方向を塞いで用紙が載置される際の分離ローラへの用紙の侵入を防ぐので、用紙の重送や紙詰まりを防ぐことができるという効果を有する。
【００２２】
本発明の請求項１４に記載の発明は、原稿台に積層された原稿を繰り出す給紙ローラと、給紙ローラよりも搬送路下流側に位置し、原稿を搬送方向へ送る分離ローラと、分離ローラにより搬送された原稿を読み取る画像読取部と、分離ローラを回転駆動させる駆動ギアと、駆動ギアと一体成形された太陽ギアと、太陽ギアに挿通される軸部を有するカム部と、カム部の内周面に形成される内歯ギアと、駆動ギアから伝達された駆動力による内歯ギアの回転に連動回動するレバーと、レバーの連動に応じて前記用紙が前記原稿台に載置される際の分離ローラへの原稿の侵入を防ぐストッパ部材を備える画像読取装置であって、使用者がなんら操作を行う事無く、用紙の搬送方向を塞いで用紙が載置される際の分離ローラへの用紙の侵入を防ぐので、用紙の重送や紙詰まりを防ぐことができるという効果を有する。
【００２３】
（実施の形態）
以下、図を用いて本発明の実施の形態における分離給紙装置を説明する。図１は本発明の一実施の形態における分離給紙装置の斜視図、図２は図１の分離給紙装置のカバーを取り外した図、図３は図２の分離給紙装置の分解斜視図、図４は図１の分離給紙装置における用紙が載置された状態の分離給紙装置の側面図、図５は図３の分離給紙装置におけるカム部の正面図、図６（ａ）は図４の分離給紙装置の摺動体がカム溝をＲ方向へと摺動し始める状態を示す図、図６（ｂ）は図４の分離給紙装置の摺動体がカム溝の終端部まできた状態を示す図、図６（ｃ）は図４の分離給紙装置のバネの弾性力により、摺動体がカム溝から隣接するカム溝へと移動する状態を示す図、図７は図４の分離給紙装置のカム溝を摺動する摺動体とレバーの様子を示す図、図８は図４の分離給紙装置の用紙が分離されて搬送される様子を示す側面図、図９は図４の分離給紙装置の用紙が分離されて搬送される様子を示す側面図、図１０は図４の分離給紙装置における複数枚の用紙を載置する際の分離給紙装置の側面図、図１１は図４の分離給紙装置における複数枚の用紙が載置された様子を示す図である。
【００２４】
図１から図４に示すように、本実施の形態の分離給紙装置１は、複写機やファクシミリ、あるいはプリンタ等の画像形成装置内に配置され、複数枚の用紙１９や記録紙等を１枚づつに分離し搬送する装置であり、カバー２と、用紙を１枚ずつ分離して排紙方向へ搬送する分離ローラ４と、駆動ギヤ９と一体に形成され、分離ローラ４と同軸に設けられた太陽ギヤ９ａと、分離ローラ４の端面に設けられた遊星ギヤ軸１６により支持される２つの遊星ギヤ１５と、太陽ギヤ９ａと同軸に設けられる内歯ギヤ１０ｃを有するカム１０と、内歯ギヤ１０ｃの回転に連動して回動するレバー１１とを備える。
【００２５】
駆動ギヤ９と太陽ギヤ９ａは、それぞれの軸が同一線上となるように一体に形成されている。また、駆動ギヤ９は駆動モータ（図示しない）により駆動されるギヤ３と噛み合った状態で配置されており、これにより、駆動モータの駆動力が伝達されて駆動ギヤ９は回転する。太陽ギヤ９ａは、遊星歯車機構の中心となるギヤであり、この太陽ギヤ９ａが回転することにより、遊星ギヤ１５や内歯ギヤ１０ｃを回転させることができる。
【００２６】
カム１０は、内周面に内歯ギヤ１０ｃを形成したギヤ部１０ａと、円板状に形成されたカム部１０ｂとにより構成され、内歯ギヤ１０ｃとカム部１０ｂとは、軸が同一線上となるように形成されている。
【００２７】
内歯ギヤ１０ｃの直径は、太陽ギヤ９ａおよび２つの遊星ギヤ１５の直径の合計とほぼ同じであり、太陽ギヤ９ａと内歯ギヤ１０ｃとの間に２つの遊星ギヤ１５が噛み合った状態で配置できるように形成されている。
【００２８】
図５に示すように、カム部１０ｂは、太陽ギヤ９ａが挿通される挿通孔１７を有する軸部１８を中心に有する。そして、カム部１０ｂには、この軸部１８に対して対称に３つ配置された同じ形状を有するカム溝４１ａ，４１ｂ，４１ｃが形成されている。また、この各々のカム溝４１ａ，４１ｂ，４１ｃの一端には、後述するレバー１１の摺動体１１ｂを係止するための係止部４２ａ，４２ｂ，４２ｃが形成されている。カム溝４１ａの他端となる終端部４３ａは、カム部１０ｂの周縁側となる面を隣接するカム溝４１ｃに開放している。また、同様に、カム溝４１ｂの終端部４３ｂは、隣接するカム溝４１ａに、カム溝４１ｃの終端部４３ｃは、隣接するカム溝４１ｂにそれぞれカム部１０ｂの周縁側となる面を開放している。
【００２９】
遊星ギヤ１５は、分離ローラ４の回転軸を中心に対称となるように、分離ローラ４の端面に設けられた遊星ギヤ軸１６により支持されている。この２つの遊星ギヤ１５は、太陽ギヤ９ａと内歯ギヤ１０ｃとの間に噛み合った状態で配置されている。
【００３０】
太陽ギヤ９ａ、遊星ギヤ１５および内歯ギヤ１０ｃにより遊星歯車機構が構成される。つまり、太陽ギヤ９ａが回転することにより、遊星ギヤ１５が、太陽ギヤ９ａの周囲を公転せず自転のみを行うと内歯ギヤ１０ｃは回転する。また、内歯ギヤ１０ｃの回転が拘束されて停止すると、遊星ギヤ１５が自転しながら太陽ギヤ９ａの外周を公転して分離ローラ４が回転する。
【００３１】
分離ローラ４は、太陽ギヤ９ａおよび内歯ギヤ１０ｃと同軸に設けられている。分離ローラ４の周囲は、分離ローラ４と後述する原稿台２１の分離パッド２０と間を搬送される用紙１９に適度な摩擦を与えるためにゴムなどの摩擦係数の高い材料で被覆されている。また、分離ローラ４には、分離ローラ４の回転により回転する分離ローラギヤ５に連結されたアイドルギヤ６を介して給紙ローラギヤ８が連結されている。給紙ローラギヤ８には給紙ローラ７が取り付けられており、給紙ローラ７は分離ローラ４の回転により駆動されて同じ方向へ回転することができる。
【００３２】
図４に示すように、カバー２は、駆動ギヤ９および給紙ローラ７の軸に支持され、分離給紙装置１の上部を覆うように形成されている。また、カバー２は、後述するレバー１１が内歯ギヤ１０ｃの回転と一体となってカバー２側に回動すると、レバー１１の端部がカバー２に突き当たるように形成されている。
【００３３】
図３に示すように、レバー１１は、太陽ギヤ９ａが挿通されたカム部１０ｂの軸部１８と係合する開口部１１ｄを有する楕円状の摺動部１１ａと、カム部１０ｂの周縁に摺動可能に取り付けられるスライダ１２が移動可能なスライダ開口部を有する回動部１１ｃとにより構成される。
【００３４】
摺動部１１ａは、複数のカム溝４１ａ，４１ｂ，４１ｃに接する面に摺動体１１ｂを有している。この摺動体１１ｂは、カム部１０ｂに形成されたカム溝４１ａ，４１ｂ，４１ｃ内を摺動することにより、カム１０のギヤ部１０ａに形成された内歯ギヤ１０ｃの回転運動を、レバー１１の運動に変える役割を有する。摺動部１１ａの開口部１１ｄは、レバー１１の摺動部１１ａが、カム部１０ｂの軸部１８に係合した状態でカム部１０ｂの半径方向に摺動できるように楕円状に形成されている。
【００３５】
回動部１１ｃは、その中央部分に、スライダ１２が移動可能なスライダ開口部１１ｅを有している。スライダ１２は、このスライダ開口部１１ｅに配置され、カム部１０ｂの周縁に摺動可能に取り付けられる。また、スライダ１２と回動部１１ｃとの間には、弾性部材であるバネ１３が配置されており、これにより、スライダ１２は常に、カム部１０ｂへ付勢された状態となる。
【００３６】
回動部１１ｃの原稿台２１側となる位置には、用紙の搬送通路を塞いで分離ローラ４への侵入を防ぐストッパ部材１４が設けられている。このストッパ部材１４は矩形状の板状体であり、用紙の搬送通路を塞ぐ際、分離ローラ４の前面に位置するように、分離ローラ４とほぼ同じ長さに形成されている。
【００３７】
また、図４に示すように、本実施の形態の分離給紙装置１が搬送する複数枚の用紙１９は、原稿台２１上に載置される。原稿台２１は複数種類の用紙１９の大きさに対応できるように形成されており、分離ローラ４と接触する面となる原稿台２１の上面側には、分離パッド２０が貼り付けられている。この分離パッド２０は、分離ローラ４が接触する位置からストッパ部材１４の下端が突き当たる位置まで一面に貼り付けられており、用紙１９が搬送されるときに適度な摩擦を与えることができるように、摩擦係数の高いゴムが用いられている。
【００３８】
ここで、図６に基づいて、カム溝４１ａ，４１ｂ，４１ｃ内を摺動する摺動体１１ｂとレバー１１の運動との関係を説明する。
【００３９】
用紙切れが発生した際、駆動ギヤ９を逆転させて内歯ギヤ１０ｃの回転とともにレバー１１を原稿台２１側へ回動させ、ストッパ部材１４が原稿台２１に突き当たると、図６（ａ）に示すように、レバー１１の摺動体１１ｂはカム溝４１ａをＲ方向へと摺動し始める。カム溝４１ａは次第にカム部１０ｂの周縁から遠ざかるように形成されているので、スライダ１２がスライダ開口部１１ｅを移動することにより回動部１１ｃに設けられたバネ１３が収縮しながら、回動部１１ｃの端部がカム部１０ｂの中心となる軸部１８側に向かって直線移動する。よって、この直線移動の間、内歯ギヤ１０ｃはレバー１１に拘束されずに回転し続ける。従って、遊星ギヤ１５が太陽ギヤ９ａの周囲を公転することはないので、分離ローラ４が逆転することはない。これにより、ゴムなどの摩擦係数の高い材料で被覆された分離ローラ４と原稿台２１の上面側に貼り付けられた分離パッド２０が擦れ合って摩耗することを防ぐことができる。なお、さらに駆動ギヤ９を回転させると、内歯ギヤ１０ｃも回転を続けるので、図６（ｂ）に示すように、摺動体１１ｂがカム溝４１ａの終端部４３ａまでくる。すると、回動部１１ｃの端部は軸部１８に最も近づいた状態となり、スライダ１２と回動部１１ｃの端部との間に配置されたバネ１３も最も収縮した状態となる。カム溝４１ａの終端部４３ａは、カム部１０ｂの周縁側となる面を隣接するカム溝４１ｃに開放しているので、図６（ｃ）に示すように、バネ１３の弾性力により、摺動体１１ｂはカム溝４１ａから隣接するカム溝４１ｃへと移動することができる。
【００４０】
通常は、駆動モータによる駆動ギヤ９の逆転回数を予め決定しておき、ストッパ部材が原稿台２１に突き当たると駆動ギヤ９が逆転を停止するように制御されるが、本実施の形態の分離給紙装置１は、上述したカム１０およびレバー１１を有するので、何らかの原因で駆動ギヤ９が所定の回数よりも多く逆転することになっても、分離ローラ４の逆転を防ぐことができる。
【００４１】
次に、図７から図１１に基づいて、本実施の形態の分離給紙装置１の動作を説明する。まずは、原稿台２１に載置された複数枚の用紙１９が一枚ずつ分離されて排紙方向へ搬送される様子を説明する。
【００４２】
まず、駆動ギヤ９が正転することにより、内歯ギヤ１０ｃが回転を始める。これにより、摺動体１１ｂはカム溝４１ａの係止部４２ａへ移動する。図７に示すように、摺動体１１ｂが、係止部４２ａで係止された状態になると、レバー１１は内歯ギヤ１０ｃの回転とともにカバー２側へ回動する。また、これと同時に、図８に示すように、給紙ローラ７は、駆動ギヤ９および給紙ローラ７の軸に支持されているカバー２が、駆動ギヤ９の回転により生じる摩擦により、原稿台２１側へ回動し始め、原稿台２１に載置された用紙１９を押さえる。そして、レバー１１の回動部１１ｃの端部がカバー２に突き当たると、内歯ギヤ１０ｃの回転は拘束されて停止するので、遊星ギヤ１５が太陽ギヤ９ａの周囲を公転し始め、分離ローラ４が正転し始めるとともに、分離ローラ４にアイドルギヤ６を介して連結された給紙ローラギヤ８により給紙ローラ７も回転を始める。これにより、載置された複数枚の用紙１９から１枚ずつ分離されて搬送される。
【００４３】
次に用紙切れが発生した場合の分離給紙装置１の動作を説明する。
【００４４】
用紙切れが発生すると、まず、駆動ギヤ９を逆転させてカバー２に突き当たっていたレバー１１の回動部１１ｃの端部を原稿台２１側に回動させる。すると、レバー１１の回動部１１ｃに設けられたストッパ部材１４が、分離ローラ４の前面まで回動し、ストッパ部材１４の下端が原稿台２１に突き当たる。これにより、図１０に示すように、用紙１９の搬送通路が塞がれた状態となる。この状態で操作者に複数枚の用紙１９を原稿台２１に載置させることになるが、上述したように、ストッパ部材１４が分離ローラ４の前面に位置しているので、操作者が複数枚の用紙１９を強く押し込んだとしても、図１１に示すように、下端が原稿台２１に突き合たった状態のストッパ部材１４が分離ローラ４への用紙１９の侵入を防ぎ、用紙１９が分離ローラ４の中に侵入して挟まり込むことなく複数枚の用紙１９を原稿台２１に載置することができる。用紙１９の載置が終わると、再び駆動ギヤ９を正転させることにより、載置された複数枚の用紙１９から１枚の用紙が分離されて搬送される。
【００４５】
駆動モータの駆動力により駆動ギヤ９を正転させると、この駆動ギヤ９と一体に形成された太陽ギヤ９aも正転する。すると、この太陽ギヤ９aと同軸に設けられた内歯ギヤ１０ｃと太陽ギヤ９aとの間に噛み合った状態で配置された遊星ギヤ１５が回転することにより内歯ギヤ１０ｃが回転する。そして、この内歯ギヤ１０ｃの回転に連動して、レバー１１が分離給紙装置の上部を覆うカバー２の方へ回動する。レバー１１の端部がカバーに突き当たると、内歯ギヤ１０ｃの回転が停止されて遊星ギヤ１５が公転を始める。これにより、太陽ギヤ９aと同軸に設けられた分離ローラ４が正転し始めて、載置された複数枚の用紙から１枚の用紙１９を分離して搬送することができる。そして、用紙切れが発生すると、今度は駆動ギヤ９を逆転させることにより内歯ギヤ１０ｃを逆転させ、カバー２に突き当たっていたレバー１１を原稿台２１側に回動させる。レバー１１には、分離ローラ４への用紙の侵入を防ぐストッパ部材１４が設けられており、レバー１１を原稿台２１側に回動させることにより、このストッパ部材１４が原稿台に突き当たる。これにより、操作者が複数枚の用紙１９を強く押し込んで載置したとしても、原稿台２１に突き合たった状態のストッパ部材１４部材により分離ローラへの用紙１９の侵入を防ぐことができる。従って、用紙１９が分離ローラ４の中に侵入して挟まり込むことによる用紙１９の重送や紙詰まりを防ぐことができる。なお、用紙１９の載置が終わると、再び駆動ギヤ９を正転させることにより、載置された複数枚の用紙から１枚の用紙１９が分離されて搬送される。
【００４６】
内歯ギヤ１０ｃは、カム溝４１a、４１ｂ、４１ｃが形成されたカム部を有し、レバーは、カム溝４１a、４１ｂ、４１ｃを摺動する摺動体１１ｂを有し、カム溝４１a、４１ｂ、４１ｃは、ストッパ部材１４が原稿台２１に突き当たった際に内歯ギヤ１０ｃが回転を停止しないように、摺動体１１ｂをガイドしてレバー１１を運動させる形状としたことを特徴とする。
【００４７】
用紙切れが発生した際、駆動ギヤ９を逆転させることによりストッパ部材１４が原稿台２１に突き当たった状態となるが、このとき、内歯ギヤ１０ｃの回転が停止してしまうと、遊星ギヤ１５が太陽ギヤ９aの周囲を公転し始めるので分離ローラ４が逆転を開始してしまい、分離ローラ４と原稿台２１との間で摩擦が生じてしまう。しかし、本発明の分離給紙装置では、内歯ギヤ１０ｃと一体に形成されたカム部１０ｂのカム溝４１a、４１ｂ、４１ｃにより、ストッパ部材１４が原稿台２１に突き当たっても、摺動体１１ｂがカム溝４１a、４１ｂ、４１ｃによってガイドされてレバー１１が運動するので、この間は内歯ギヤ１０ｃの回転が停止することはない。従って、遊星ギヤ１５は太陽ギヤ９aの周囲を公転しないので、ストッパ部材１４が原稿台２１に突き当たっても、分離ローラ４がすぐに逆転をし始めることを防ぐことができる。
【００４８】
分離ローラ４の原稿台２１側に、分離ローラ４の回転に同期して回転する給紙ローラ７が連結され、カバー２は、駆動ギヤ９および給紙ローラ７の回転軸に支持されたものであることを特徴とする。
【００４９】
給紙ローラ７は、分離ローラ４の原稿台２１側に設けられ、分離ローラ４と同期して回転するので、給紙の際に原稿台２１に載置された複数枚の用紙１９のうち最も上に載置された１枚の用紙を押さえながら分離ローラ４側へと搬送することができる。また、カバー２が、駆動ギヤ９および給紙ローラ７の回転軸に支持されたものであるので、この給紙ローラ７は、駆動ギヤ９の回転により生じる摩擦により、駆動ギヤ９が正転すると原稿台２１側へ回動して原稿台２１に載置された用紙１９を押さえることができ、駆動ギヤ９が逆転すると、原稿台２１側とは逆側へと回動して原稿台２１へ用紙１９を載置できるようにすることができる。
【００５０】
したがって、操作者が用紙を載置する以外に何ら操作を行うことなく、一度に複数枚の用紙を押し込んで載置しても、重送や紙詰まりを防いだ画像形成装置を提供することができる。
【００５１】
以上のように、レバー１１の原稿台２１側に設けられたストッパ部材１４により、分離ローラ４への用紙１９の搬送通路を防ぐので、操作者が複数枚の用紙１９を強く押し込んで載置したとしても、分離ローラ４への用紙の侵入を防ぐことができる。従って、用紙１９が分離ローラ４の中に侵入して挟まり込むことによる用紙１９の重送や紙詰まりを防ぐことができる。また、ストッパ部材１４は内歯ギヤ１０ｃの回転に連動して回動するので、ストッパ部材１４を回動させるために操作者が何ら操作を行う必要はない。また、用紙１９の載置が終われば、再び駆動ギヤ９を正転させるだけで、載置された複数枚の用紙から１枚の用紙を分離して搬送することができる。
【００５２】
なお、本実施の形態のストッパ部材１４は矩形状の板状体であったが、これに限らず、分離ローラ４への用紙１９の搬送通路を防ぐことができれば、どのような形状であってもよい。
【産業上の利用可能性】
【００５３】
本発明の分離給紙装置は、原稿や記録紙等の複数枚の用紙を一枚ずつ分離して搬送することができ、操作者が用紙を載置する以外に何ら操作を行うことなく、一度に複数枚の用紙を押し込んでも、重送や紙詰まりを防ぐことができるので、複写機やファクシミリ、あるいはプリンタ等の画像形成装置や画像読取装置内に配置される分離給紙装置として有用である。
【図面の簡単な説明】
【００５４】
【図１】本発明の一実施の形態における分離給紙装置の斜視図
【図２】図１の分離給紙装置のカバーを取り外した図
【図３】図２の分離給紙装置の分解斜視図
【図４】図１の分離給紙装置における用紙が載置された状態の分離給紙装置の側面図
【図５】図３の分離給紙装置におけるカム部の正面図
【図６】（ａ）図４の分離給紙装置の摺動体がカム溝をＲ方向へと摺動し始める状態を示す図、（ｂ）図４の分離給紙装置の摺動体がカム溝の終端部まできた状態を示す図、（ｃ）図４の分離給紙装置のバネの弾性力により、摺動体がカム溝から隣接するカム溝へと移動する状態を示す図
【図７】図４の分離給紙装置のカム溝を摺動する摺動体とレバーの様子を示す図
【図８】図４の分離給紙装置の用紙が分離されて搬送される様子を示す側面図
【図９】図４の分離給紙装置の用紙が分離されて搬送される様子を示す側面図
【図１０】図４の分離給紙装置における複数枚の用紙を載置する際の分離給紙装置の側面図
【図１１】図４の分離給紙装置における複数枚の用紙が載置された様子を示す図
【図１２】（ａ）従来の分離給紙装置のカバーが開いた状態を示す斜視図、（ｂ）図１２（ａ）の分離給紙装置の断面図
【図１３】（ａ）従来の分離給紙装置のカバーが閉じた状態を示す斜視図、（ｂ）図１３（ａ）の分離給紙装置の断面図
【符号の説明】
【００５５】
１    分離給紙装置
２    カバー
３    ギヤ
４    分離ローラ
５    分離ローラギヤ
６    アイドルギヤ
７    給紙ローラ
８    給紙ローラギヤ
９    駆動ギヤ
９ａ    太陽ギヤ
１０    カム
１０ａ    ギヤ部
１０ｂ    カム部
１０ｃ    内歯ギヤ
１１    レバー
１１ａ    摺動部
１１ｂ    摺動体
１１ｃ    回動部
１１ｄ，１１ｅ    スライダ開口部
１２    スライダ
１３    バネ
１４    ストッパ部材
１５    遊星ギヤ
１６    遊星ギヤ軸
１７    挿通孔
１８    軸部
１９    用紙
２０    分離パッド
２１    原稿台
４１ａ，４１ｂ，４１ｃ    カム溝
４２ａ，４２ｂ，４２ｃ    係止部
４３ａ，４３ｂ，４３ｃ    終端部
【図１】
2006282346.tif 000003
【図２】
2006282346.tif 000004
【図３】
2006282346.tif 000005
【図４】
2006282346.tif 000006
【図５】
2006282346.tif 000007
【図６】
2006282346.tif 000008
【図７】
2006282346.tif 000009
【図８】
2006282346.tif 000010
【図９】
2006282346.tif 000011
【図１０】
2006282346.tif 000012
【図１１】
2006282346.tif 000013
【図１２】
2006282346.tif 000014
【図１３】
2006282346.tif 000015